(57)【要約】【課題】Ｃｅｌｌ＿ＦＡＣＨ状態においてＣＱＩ情報を提供する方法および装置を提供する。【解決手段】無線送信／受信ユニット（ＷＴＲＵ）によって行われる方法は、ＣＥＬＬ＿ＰＣＨまたはＵＲＡ＿ＰＣＨ状態において動作するステップと、ＷＴＲＵの無線ネットワーク一時識別子（ＲＮＴＩ）に関連付けられた高速共有制御チャネル（ＨＳ−ＳＣＣＨ）を復号するステップと、測定を行うステップと、ＨＳ−ＳＣＣＨの復号に応答して、ＣＥＬＬ＿ＰＣＨまたはＵＲＡ＿ＰＣＨ状態からＣＥＬＬ＿ＦＡＣＨ状態に遷移するステップと、測定に関連する測定レポートをノードＢにランダムアクセスチャネル（ＲＡＣＨ）を介して送信するステップを備える。【選択図】図１
2014131329.tif 000002
【特許請求の範囲】
【請求項１】
無線送信／受信ユニット（ＷＴＲＵ）によって行われる方法であって、
前記方法は、
前記ＷＴＲＵによって、ＣＥＬＬ＿ＰＣＨまたはＵＲＡ＿ＰＣＨ状態において動作するステップと、
前記ＷＴＲＵによって、前記ＷＴＲＵの無線ネットワーク一時識別子（ＲＮＴＩ）に関連付けられた高速共有制御チャネル（ＨＳ−ＳＣＣＨ）を復号するステップと、
前記ＷＴＲＵによって、測定を行うステップと、
前記ＷＴＲＵによって、前記ＨＳ−ＳＣＣＨの復号に応答して、前記ＣＥＬＬ＿ＰＣＨまたはＵＲＡ＿ＰＣＨ状態からＣＥＬＬ＿ＦＡＣＨ状態に遷移するステップと、
前記ＷＴＲＵによって、前記測定に関連する測定レポートをノードＢにランダムアクセスチャネル（ＲＡＣＨ）を介して送信するステップと
を備えることを特徴とする方法。
【請求項２】
前記測定レポートは、測定されたブロック誤り率（ＢＬＥＲ）、ダウンリンク基準チャネル上のパスロス、前記ダウンリンク基準チャネル上で測定された信号対雑音比（ＳＮＲ）、共通パイロットチャネル（ＣＰＩＣＨ）の受信信号電力、前記ＣＰＩＣＨのＥｃ／Ｎｏ、ランダムアクセスチャネル（ＲＡＣＨ）伝送に必要なＲＡＣＨプリアンブルランプアップの回数、または前記ダウンリンク基準チャネル上の受信電力の少なくとも１つを含むことを特徴とする請求項１に記載の方法。
【請求項３】
前記測定レポートは、ＷＴＲＵ間の衝突の可能性を減らすようにランダムなオフセットで周期的に送信されることを特徴とする請求項１に記載の方法。
【請求項４】
前記測定レポートを含むＲＡＣＨ伝送と前記測定レポートを含まないＲＡＣＨ伝送とを見分けるために、ＲＡＣＨプリアンブルのシグネチャ系列のセットが、前記ＲＡＣＨを介して前記測定レポートを送信することのために確保されることを特徴とする請求項１に記載の方法。
【請求項５】
前記測定レポートを含むＲＡＣＨ伝送と前記測定レポートを含まないＲＡＣＨ伝送とを見分けるために、チャネライゼーションコードおよびスクランブリングコードのセットが、前記ＲＡＣＨを介して前記測定レポートを送信することのために確保されることを特徴とする請求項１に記載の方法。
【発明の詳細な説明】
【技術分野】
【０００１】
本発明は、無線通信に関する。
【背景技術】
【０００２】
ＵＴＲＡＮ（Universal Terrestrial Radio Access Network）におけるＷＴＲＵ（無線送信／受信ユニット）は、アイドル状態または接続状態のいずれかであることが可能である。ＷＴＲＵが、接続状態にある間、ＷＴＲＵの移動性および活動に基づいて、ＵＴＲＡＮは、Ｃｅｌｌ＿ＰＣＨ状態、ＵＲＡ＿ＰＣＨ状態、Ｃｅｌｌ＿ＦＡＣＨ状態、およびＣｅｌｌ＿ＤＣＨ状態の間で遷移するよう、ＷＴＲＵに指示することが可能である。ＷＴＲＵとＵＴＲＡＮの間のユーザプレーン通信は、ＷＴＲＵが、ＵＴＲＡＮに対してＲＲＣ（無線リソース制御）接続している間に限って、可能である。
【０００３】
Ｃｅｌｌ＿ＤＣＨ状態は、アップリンク（上り回線）とダウンリンク（下り回線）の両方において専用チャネルによって分類される。ＷＴＲＵ側で、このことは、継続的な送信および受信に相当し、ユーザ電力要件に厳しい可能性がある。
【０００４】
非特許文献１において規定されるとおり、Ｃｅｌｌ＿ＦＡＣＨ状態は、専用チャネルを使用せず、このため、より低いアップリンクスループットおよびダウンリンクスループットという犠牲を払って、より良好な電力消費を可能にする。Ｃｅｌｌ＿ＦＡＣＨ状態にある間、アップリンク通信は、ＲＡＣＨ（ランダムアクセスチャネル）を介して達せられるのに対して、ダウンリンク通信は、Ｓ−ＣＣＰＣＨ（２次共通制御物理チャネル）にマッピングされた共有トランスポートチャネル（例えば、ＦＡＣＨ（順方向アクセスチャネル））を介して行われる。Ｃｅｌｌ＿ＦＡＣＨ状態は、シグナリング（信号）トラフィック（例えば、セル更新メッセージおよびＵＲＡ（ＵＴＲＡＮ登録エリア）更新メッセージの伝送）、および非常に低いアップリンクスループットしか要求しないアプリケーションに適している。
【０００５】
Ｃｅｌｌ＿ＦＡＣＨ状態にある間、ＷＴＲＵは、測定制御情報の中に定められている信号測定および／またはＴＶＭ（トラフィックボリューム測定）を実行することができる。信号測定は、ＷＴＲＵによってセル再選択のために使用される。ＴＶＭは、測定制御情報において指定された基準（criteria）に基づいて、測定レポート内でＵＴＲＡＮに報告される。この測定レポートは、ＲＡＣＨを介して送信される。
【０００６】
ＲＡＣＨは、捕捉インジケーション（acquisition indication）を伴うｓｌｏｔｔｅｄ−Ａｌｏｈａ機構に準拠している。ＲＡＣＨメッセージを送信する前に、ＷＴＲＵは、ランダムに選択されたアクセススロットの中で短いプリアンブル（ランダムに選択されたシグネチャ系列から成る）を送信することによって、チャネルを獲得しようと試みる。ＲＡＣＨプリアンブルを送信した後、ＷＴＲＵは、ＵＴＲＡＮからの捕捉インジケーションを待つ。捕捉インジケーションが全く受信されない場合、ＷＴＲＵは、ＲＡＣＨプリアンブルに関する送信電力をランプアップ（急成長）し、ＲＡＣＨプリアンブルを再送信する（すなわち、選択されたアクセススロットの中で、ランダムに選択されたシグネチャ系列を送信する）。捕捉インジケーションが受信された場合には、ＷＴＲＵは、有効にチャネルを捕捉しており、ＲＡＣＨメッセージを送信することができる。ＲＡＣＨプリアンブルに関する初期送信電力は、開ループ電力制御技術に基づいて設定され、ランプアップ機構を使用して、ＷＴＲＵ送信電力がさらに微調整される。
【０００７】
Ｃｅｌｌ＿ＦＡＣＨ状態においてＨＳＤＰＡ（高速ダウンリンクパケットアクセス）を使用することが提案されている。ＨＳＤＰＡは、非特許文献２において導入されたフィーチャ（機能）である。ＨＳＤＰＡは、Ｃｅｌｌ＿ＤＣＨ状態において機能する。ＨＳＤＰＡは、以下の３つの重要な概念（キーコンセプト）、すなわち、ＡＭＣ（適応変調−符号化）、ＨＡＲＱ（混成自動再送信要求）スキーム（基本構想）を使用した再送信、およびノードＢスケジューリングを用いることによって、ダウンリンク共有容量を、よりうまく活用する。
【０００８】
２（二）ミリ秒毎に、ノードＢが、ＷＴＲＵからノードＢが収集する情報と、ダウンリンクバッファのステータスとに基づいて、ＨＳ−ＤＳＣＨ（高速ダウンリンク共有チャネル）上で伝送をスケジュールする。さらに、ノードＢは、ＭＣＳ、トランスポートブロックサイズなどを適合させることによって、伝送ビットレートを特定のＷＴＲＵに合わせる。ノードＢは、良好なチャネル状況を感知するＷＴＲＵに、より高いデータ転送速度で送信し、良好でないチャネル状況（例えば、セル境界における）を感知するＷＴＲＵに、より低いデータ転送速度で送信することが可能である。
【０００９】
ＨＳＤＰＡ動作に関して、ノードＢは、ＷＴＲＵからのＣＱＩ（チャネル品質指標）、およびＡＣＫ（肯定応答）／ＮＡＣＫ（否定応答）フィードバックを必要とする。ＣＱＩは、ＷＴＲＵがサポートすることができる最大ＭＣＳを与えるテーブル内のインデックスである。ＣＱＩは、ＵＴＲＡＮによって決定された周期数（periodicity）で周期的に送信される。ＡＣＫ／ＮＡＣＫフィードバックは、ＨＡＲＱプロセスに使われている。ＡＣＫ／ＮＡＣＫ情報は、パケットがダウンリンクで受信されることに応答するときだけ、提供される。
【００１０】
非特許文献１において、ＣＱＩおよびＡＣＫ／ＮＡＣＫ情報は、ＨＳ−ＤＰＣＣＨ（高速専用物理制御チャネル）を介して送信される。各ＷＴＲＵには、別個のＨＳ−ＤＰＣＣＨが割り当てられ、その結果、ＷＴＲＵは、このフィードバック情報を容易に提供することができる。さらに、ＨＳ−ＤＰＣＣＨは、アップリンクＤＰＣＣＨ（専用物理制御チャネル）に対するオフセットを使用して電力制御され、この電力制御のために、閉ループ電力制御が実行される。ＨＳ−ＤＰＣＣＨ上の情報は、検出を助けるために高度に符号化される。ますます多くのＷＴＲＵがＨＳＤＰＡを使用するにつれ、フィードバック制御チャネルの数は、増加する。これらが電力制御される場合に、フィードバック情報は、アップリンク雑音上昇を生じさせ、その他のアップリンク伝送のために利用可能な容量を減らす可能性がある。
【先行技術文献】
【非特許文献】
【００１１】
【非特許文献１】3GPP (Third Generation Partnership Project)仕様、Release 6
【非特許文献２】3GPP (Third Generation Partnership Project)仕様、Release 5
【発明の概要】
【発明が解決しようとする課題】
【００１２】
ＨＳＤＰＡが、Ｃｅｌｌ＿ＦＡＣＨ状態で使用される場合、主な問題は、ＣＱＩおよびＡＣＫ／ＮＡＣＫ情報を送信する専用のアップリンクチャネルが無いことである。ＣＱＩおよびＡＣＫ／ＮＡＣＫ情報が無いと、ＨＳＤＰＡの利点は、大幅に小さくなる。非特許文献１は、Ｃｅｌｌ＿ＦＡＣＨ状態におけるＨＳ−ＤＳＣＨに関する最適なＭＣＳ選択およびスケジューリングのサポートを提供していない。
【００１３】
したがって、Ｃｅｌｌ＿ＦＡＣＨ状態において共有チャネルを介してＣＱＩ情報を提供するための方法および装置を提供することが望ましいであろう。
【課題を解決するための手段】
【００１４】
ＷＴＲＵに割り当てられた専用チャネルを有することなしに、ＷＴＲＵがＣｅｌｌ＿ＦＡＣＨ状態にある間に、共有チャネルまたは共通チャネルを介してＣＱＩを送信するための方法および装置が、開示されている。ＷＴＲＵが、少なくとも１つのパラメータの測定を実行し、この測定に基づいてＣＱＩを生成する。次に、ＷＴＲＵは、ＲＡＣＨを介してＣＱＩを送信する。ＣＱＩは、ＲＡＣＨプリアンブルを使用して送信されることが可能である。複数のシグネチャ系列が、複数のグループに分割されることが可能である。ＷＴＲＵは、ＣＱＩに基づいて１つのグループを選択し、この選択されたグループの中のシグネチャ系列のなかから、ＲＡＣＨプリアンブルを送信するための１つのシグネチャ系列をランダムに選択することができる。ＣＱＩは、ＲＡＣＨプリアンブルに付加されることが可能である。ＣＱＩは、ＲＡＣＨメッセージの制御部分またはデータ部分を介して送信されることが可能である。ＲＡＣＨメッセージは、ＣＱＩ伝送を含むＲＲＣ測定レポートであることが可能である。ＣＱＩ報告は、ＨＳ−ＳＣＣＨ伝送の復号が成功することによってトリガされることが可能である。
【図面の簡単な説明】
【００１５】
本発明のより詳細な理解は、例示として与えられ、添付の図面と併せて理解されるべき、好ましい実施形態の以下の説明から得ることができる。
【図１】例示的なＷＴＲＵを示すブロック図である。
【図２】ＲＡＣＨプリアンブルの終わりに付加されたＣＱＩを示す図である。
【図３】ＲＡＣＨ制御メッセージに担持されたＣＱＩの例を示す図である。
【図４】ＲＡＣＨメッセージの内のＲＡＣＨヘッダに担持されたＣＱＩの例を示す図である。
【図５】例示的な２層（２段）ＣＱＩ構造を示す図である。
【図６】ＣＱＩ報告トリガ例を示す図である。
【発明を実施するための形態】
【００１６】
以降、言及する場合、「ＷＴＲＵ」という用語には、ＵＥ（ユーザ機器）、移動局、固定加入者ユニットもしくは移動加入者ユニット、ポケットベル、セルラー電話機（携帯電話）、ＰＤＡ（パーソナルデジタルアシスタント；携帯情報端末）、コンピュータ、または無線環境において動作することができる他の任意のタイプのユーザデバイスが含まれるが、以上には限定されない。以降、言及する場合、「ノードＢ」という用語には、基地局、サイトコントローラ、ＡＰ（アクセスポイント）、または無線環境において動作することができる他の任意のタイプのインタフェースデバイスが含まれるが、以上には限定されない。
【００１７】
本実施形態は、３ＧＰＰ  ＨＳＤＰＡ（高速ダウンリンクパケットアクセス）に関連して説明されるが、本発明は、チャネル品質フィードバック情報が、共有／共通チャネルを介して送信されることが要求される任意の無線通信システムに適用可能であることに留意されたい。
【００１８】
図１は、例示的なＷＴＲＵ１００のブロック図である。ＷＴＲＵ１００は、測定ユニット１０２と、ＣＱＩジェネレータ１０４と、トランシーバ（無線電話機）１０６とを含むことが可能である。図１のＷＴＲＵ１００は、限定としてではなく、例示として与えられたものであり、さらにＷＴＲＵ１００は、無線送受信に必要な他の任意の従来の処理構成要素を含むことが可能であることに留意されたい。測定ユニット１０２は、少なくとも１つの所定のパラメータの測定を実行して、ＷＴＲＵ１００によって感知されるチャネル品質の推定値（estimate）をもたらす。
【００１９】
測定パラメータは、ＷＴＲＵ１００がＣｅｌｌ＿ＦＡＣＨ状態にある間のダウンリンクトランスポートチャネルＢＬＥＲ（ブロック誤り率）であることが可能である。高いＢＬＥＲは、ダウンリンク伝送速度が高すぎるものと解釈されることが可能である。測定パラメータは、ダウンリンク基準チャネル（例えば、ＣＰＩＣＨ（共通パイロットチャネル））上で測定されたパスロス（伝播路損失）であることが可能である。ダウンリンクにおける高いパスロスは、ダウンリンク伝送速度が高すぎることの表れと解釈されることが可能である。測定パラメータは、ＡＩＣＨ（捕捉インジケーションチャネル）上で捕捉インジケーションを受信するまでに要求される、プリアンブルランプアップの回数であることが可能である。例えば、ＷＴＲＵ１００が、多くのＲＡＣＨプリアンブル送信電力ランプアップを要求する場合、またはＲＡＣＨ伝送が失敗した場合に、ＷＴＲＵ１００は、チャネル状態が劣悪であると解釈し、ダウンリンク伝送レートの低減を求めることが可能である。測定パラメータは、ＣＰＩＣＨ上、ＨＳ−ＳＣＣＨ（高速共有制御チャネル）上、または他の任意のダウンリンク基準チャネル上の受信電力であることが可能である。この電力の指示を提供することによって、ノードＢは、パスロスを推定して、それに相応してダウンリンク伝送レートを増加させる、または減少させることができる。測定パラメータは、任意のダウンリンク基準チャネル（例えば、ＣＰＩＣＨ）上で測定されたＳＮＲ（信号対雑音比）の推定であることが可能であるが、その雑音は、熱雑音、およびＷＴＲＵによって消去することができない隣接セルからの干渉を含む。測定パラメータは、ＣＰＩＣＨ  Ｅｃ／Ｎ０（すなわち、ＣＰＩＣＨ  ＲＳＣＰ（受信信号符号電力）／ＲＳＳＩ（受信信号強度指標））、またはＲＳＳＩを追加して、ＨＳ−ＤＰＤＣＨ測定に変換されたＰＣＣＰＣＨ（１次共通制御物理チャネル）ＲＳＣＰであることが可能である。代替として、ＨＳ−ＳＣＣＨ電力が、測定されてもよい。
【００２０】
ＣＱＩジェネレータ１０４は、これらの測定に基づいてＣＱＩを出力する（すなわち、ＣＱＩは、この測定の符号化バージョンである）。以上のＷＴＲＵ測定の任意の測定の１つ、または組み合わせが、ＣＱＩ値（例えば、ルックアップテーブルのインデックス）にマッピングされて、後で詳細に説明されるフィードバック機構の１つを介して、ノードＢに送信されることが可能である。ＣＱＩ値は、ＲＲＣ層に報告するためにＲＲＣ層に送られることが可能である。ＣＱＩ値は、ＲＲＣ層においてフィルタリングされることが可能である。また、マッピングを実行する際、ＷＴＲＵ１００は、ＣＱＩを生成するための自身の受信機能力を考慮に入れることも可能である。
【００２１】
ＣＱＩは、必ずしも、これらの測定のそのままの符号化ではなく、ＷＴＲＵ１００が、ＷＴＲＵ１００の受信機設計、および測定された量に基づいてサポート（対応）することができるトランスポートブロックサイズの推定、または最大データ転送速度の推定であることも可能である（すなわち、ＣＱＩは、目標ＢＬＥＲ（ブロック誤り率）を保つのにＷＴＲＵがサポートすることができるトランスポートブロックサイズ、または最大データ転送速度の符号化バージョンであることが可能である）。ＷＴＲＵによってサポートされることが可能な最大トランスポートブロックサイズまたは最大データ転送速度は、インデックス値（すなわち、ＣＱＩ値）にフォーマットされ、符号化される。
【００２２】
代替として、ＣＱＩは、この測定に基づいて生成された相対的アップコマンドまたは相対的ダウンコマンドであることが可能である。例えば、この相対的アップ／ダウンコマンドは、目標ＢＬＥＲを保つのにＷＴＲＵがサポートすることができるトランスポート（転送）ブロックサイズに基づいて、生成されることが可能である。一例を挙げれば、ＷＴＲＵ１００は、チャネル品質が非常に劣悪であると判定し、次に低いレベルまでダウンリンク伝送レートの低減を求めることが可能である。この場合、この制御の粒度（制御単位の細かさ）は、１ステップより多い（例えば、アップ３レベル、ダウン４レベル）であることが可能である。この相対的アップコマンドまたは相対的ダウンコマンドは、ＷＴＲＵ１００が、適切なＢＬＥＲで受信することができる最大トランスポートブロックサイズの増加または低減、あるいはチャネル上の測定値（例えば、ｄＢ単位の）の増加または減少（パスロス）を示すことが可能である。
【００２３】
ＣＱＩは、多層（多段）構造を有することが可能である。図５は、例示的な２層（２段）ＣＱＩ構造を示す。図５は、限定としてではなく、例示として与えられたものであり、他の任意のＣＱＩ構造が、実施されることが可能であることに留意されたい。この例では、ＣＱＩ値は、５（五）ビットを使用して符号化される。最初の２つのＭＳＢ（最上位ビット）は、粗いＣＱＩとして使用され、３つのＬＳＢ（最下位ビット）は、それぞれの粗いＣＱＩ範囲内での細かいＣＱＩとして使用される。ＲＲＣ測定報告を介してのＣＱＩ報告が、粗いＣＱＩ（遅い更新）を送信するために使用されることが可能であり、物理層（Ｌ１）手続きが、細かいＣＱＩ（速い更新）を送信するために使用されることが可能である。ゆっくり変化するチャネル状況において、粗いＣＱＩが使用されることが可能であるのに対して、ＣＱＩの変化の速度が、より速い場合、ＣＱＩは、Ｌ１ベースのＣＱＩ報告手続きを介して報告されることが可能である。
【００２４】
ＣＱＩが生成されると、トランシーバ１０６が、ノードＢに、そのＣＱＩを送信する。Ｃｅｌｌ＿ＦＡＣＨ状態におけるＷＴＲＵ１００に割り当てられた専用制御チャネルは全く存在しないので、トランシーバ１０６は、ＲＡＣＨを介して、あるいは、伝送を開始するのに、そのチャネルをまず獲得するようＷＴＲＵに要求する他の任意の競合ベースのチャネルを介して、ＣＱＩ情報を送信する。
【００２５】
ＣＱＩの伝送は、ＨＳ−ＤＰＤＣＨ上の伝送に関する高品位の、適切なリンクパフォーマンス予測指標（predictor）を提供する。ＣＱＩは、ＷＴＲＵが、それまでＵＲＡ＿ＰＣＨモードまたはＣｅｌｌ＿ＰＣＨモードに入っており、全く測定を行っておらず、したがって、ＵＴＲＡＮに測定が全く利用可能でない場合に、送信されることが可能である。ＣＱＩは、ＷＴＲＵが、少なくとも１つの測定値をＵＴＲＡＮに送信しているが、まだ全くダウンリンク伝送を受信していない場合に、報告されてもよい。ＣＱＩは、ＷＴＲＵが、しばらくの間、伝送を受信していたが、測定が新鮮でなくなった場合に、報告されてもよい。すぐ前の２つの事例（ダウンリンク伝送を受信していない場合、および測定が陳腐になった場合）では、ＨＳ−ＤＳＣＨ上で要求される測定制御の量は、減少する。
【００２６】
ＣＱＩを送信するための実施形態を、以降に、開示する。第１の実施形態によれば、ＷＴＲＵ１００は、ＲＡＣＨプリアンブルを使用してＣＱＩ情報を送信する。従来では、ＷＴＲＵは、ＲＡＣＨプリアンブルシグネチャ系列を、複数のシグネチャ系列のなかからランダム（無作為）に選択する。第１の実施形態によれば、これらのシグネチャ系列は、複数のグループに分けられている。ＷＴＲＵ１００は、ＣＱＩに基づいて１つのグループを選択し、次に、選択されたグループの中のシグネチャ系列のなかから、１つのシグネチャ系列をランダムに選択する。このシグネチャ系列の選択は、完全に無作為ではなく、ＣＱＩに依存する。例えば、２（二）ビットのＣＱＩが使用され、合計で１６のシグネチャ系列が、それぞれが４つの一意のシグネチャ系列を有する４つのグループに分割される場合、このＣＱＩを使用して、４（四）つのグループの１つが選択されることが可能であり、選択されたグループの中の４つのシグネチャ系列の１つが、ランダムに選択される。ノードＢにおいてシグネチャ系列を復号すると、ノードＢは、シグネチャ系列番号を相互参照して、グループ、および伝送されたＣＱＩを割り出す。
【００２７】
ＣＱＩインデックスの数が、１６を超えた場合、従来の１６ビットプリアンブルシグネチャ系列の数は、１６から２k（ただし、ｋ＞４）まで増やされることが可能であり、選択されたシグネチャ系列をすべてのプリアンブルの中で２５６回繰り返すのではなく、ＷＴＲＵ１００は、新たなシグネチャ系列を（２５６／（２k-4））回、繰り返すことができる。
【００２８】
代替として、ＣＱＩは、ＲＡＣＨプリアンブルの終わりに付加されることが可能である。図２は、ＲＡＣＨプリアンブル２０２の終端に付加されたＣＱＩ２０６を示す。この例では、ＲＡＣＨプリアンブル伝送は、１６ビットシグネチャ系列２０４およびＣＱＩ２０６の２５６回の繰り返しを含む。ノードＢが、このプリアンブル系列２０２を検出すると、ノードＢは、プリアンブル系列２０２の終端のＣＱＩ２０６を取り出し、捕捉インジケーションを送信する。ＷＴＲＵ  ＩＤ（アイデンティティ）は、ノードＢが、ＲＡＣＨメッセージを復号すると、特定されることが可能である。代替として、ＷＴＲＵ  ＩＤも、プリアンブルの終端に付加されてもよい。このようにすることにより、後続のＲＡＣＨメッセージ伝送を必要とすることなしに、プリアンブルの中で要求されるすべての情報を送信することが可能になる。
【００２９】
第２の実施形態によれば、ＣＱＩは、ＲＡＣＨメッセージの制御部分を介して送信される。図３は、例示的なＲＡＣＨタイムスロットフォーマットを示す。１０ミリ秒のＲＡＣＨ無線フレーム３００が、１５個のタイムスロット３０２を含む。各タイムスロット３０２は、並列に送信されるデータ部分３１０と、制御部分３２０とを含む。従来通りに、制御部分３２０は、パイロットビット３２２およびＴＦＣＩビット３２４を伝送する。第２の実施形態によれば、ＣＱＩ３２６は、制御部分３２０の中に含められる。
【００３０】
第３の実施形態によれば、ＣＱＩは、ＲＡＣＨメッセージのデータ部分３１０を介して送信される。図４は、ＲＡＣＨメッセージ４００の中の例示的なＲＡＣＨヘッダ４１０と、ＭＡＣ  ＳＤＵ（サービスデータユニット）４２０とを示す。ＣＱＩ４１２は、ＲＡＣＨヘッダ４１０の中に含められている。ＣＱＩ４１２をＲＡＣＨヘッダ４１０の中に含めるために、物理層が、ＣＱＩ４１２をＭＡＣ層（ＭＡＣ−ｃ／ｓｈ層）に供給し、ＭＡＣ層が、ＣＱＩ４１２をＭＡＣヘッダ４１０の中に加える。物理層とＭＡＣ層の間のシグナリング（信号伝達）は、例えば、変更されたＰＨＹ−ステータス−ＩＮＤプリミティブを介して実施されることが可能である。
【００３１】
第４の実施形態によれば、ＣＱＩは、ＲＲＣメッセージ（例えば、測定レポートメッセージ）を介して送信されることが可能である。ＣＱＩは、ＲＲＣメッセージの中に含められるようにＷＴＲＵのＲＲＣ層に送られる。ＣＱＩは、オプションとして、ＲＲＣ層によってフィルタリングされてから、ＲＲＣメッセージに送られることが可能である。
【００３２】
ＰＲＡＣＨ（物理ＲＡＣＨ）の容量は、限られているので、ＣＱＩの送信がいつ行われるべきかを決定するための規則が、規定される。ＷＴＲＵは、ＷＴＲＵが、ＲＡＣＨを介して送信すべきＭＡＣ  ＳＤＵを有する場合、ＣＱＩを送信することが可能である（すなわち、便宜主義的な送信）。ＣＱＩは、前述したとおり、ＲＡＣＨプリアンブル内、またはＲＡＣＨメッセージ内で送信されることが可能である。
【００３３】
便宜主義的な送信（opportunistic transmission）は、ダウンリンク伝送と必ずしも互いに関連付けられていないアップリンクで情報を送信する必要性に依存するので、十分でない可能性がある。ＲＡＣＨ上のアップリンク伝送が無い状態でのＣＱＩ報告を可能にするため、ＷＴＲＵは、ＷＴＲＵが、ＭＡＣ  ＳＤＵを送信する必要がない場合でさえ、ＣＱＩを送信（すなわち、ＣＱＩスタンドアロン送信）することが可能である。ＴＦＣＩフィールドが、ＲＡＣＨ伝送がＣＱＩスタンドアロン送信であることをノードＢに信号で送るのに使用されることが可能である。ＣＱＩスタンドアロン送信に関して、ＣＱＩは、図２に示されるとおり、ＲＡＣＨプリアンブルに付加されてもよく、あるいはＲＡＣＨメッセージの制御部分またはデータ部分の中で送信されてもよい。
【００３４】
代替として、ＣＱＩの送信（すなわち、スタンドアロンＣＱＩ送信）に関するトリガ基準が規定されてもよい。ＣＱＩは、周期的に送信されることが可能である。ＷＴＲＵは、ＷＴＲＵが、Ｃｅｌｌ＿ＦＡＣＨ状態においていったん活性（アクセスできる状態）のＨＳＤＰＡ接続を有すると、ＣＱＩを周期的に送信することができる。ＷＴＲＵは、チャネル状況を絶えず監視して、周期的間隔でＣＱＩを送信することができる。ＣＱＩ報告のレートは、設定（コンフィギュレーション）パラメータとしてＷＴＲＵに与えられる。ＣＱＩは、ＷＴＲＵ間の衝突の確率を低減するようにランダムなオフセットで報告されることが可能である。
【００３５】
ＣＱＩは、ノードＢによってポーリングされることが可能である。例えば、ＷＴＲＵは、ダウンリンクでデータを受信すると、ＣＱＩを送信することができる。ノードＢは、ノードＢが、到着したばかりのＣＱＩ情報を有さない場合、低いＭＣＳを選択すること、または、この初期ダウンリンク伝送でデータを全く送信しない（これにより、干渉を低減する）ことができる。ダウンリンク伝送は、ＷＴＲＵを宛先とするＨＳ−ＳＣＣＨ上の伝送であることが可能である。この場合、ＷＴＲＵは、そのＨＳ−ＳＣＣＨを監視し、ＷＴＲＵが、ダウンリンクにおけるＨＳ−ＳＣＣＨ伝送上でＷＴＲＵのアドレス（すなわち、Ｈ−ＲＮＴＩ（ＨＳＤＰＡ無線ネットワーク一時ＩＤ））を復号することに成功すると、ＣＱＩの伝送をトリガする。
【００３６】
ＷＴＲＵは、チャネル状況の著しい変化があるときに、ＣＱＩを送信することが可能である。ＷＴＲＵは、現在のＣＱＩ（または平均ＣＱＩ）と前回、報告されたＣＱＩとの差が、所定の値を超えると、ＣＱＩを送信することが可能である。ＷＴＲＵ（例えば、ＲＲＣ）は、ＣＱＩデルタで設定される。測定されたＣＱＩ値が、所定の期間にわたってＣＱＩデルタだけ以前のＣＱＩ値を超えるたびに、ＣＱＩ報告が、トリガされる。
【００３７】
ＷＴＲＵは、Ｃｅｌｌ＿ＦＡＣＨ状態においてＨＳＤＰＡ接続の開始時にＣＱＩを送信することができる。ＷＴＲＵは、チャネル状況を絶えず監視することが可能であるが、ＣＱＩは、ＨＳＰＤＡチャネルに関してＲＲＣ  ＣＯＮＮＥＣＴＩＯＮ  ＳＥＴＵＰメッセージが受信された後、送信されることが可能である。
【００３８】
ＣＱＩの範囲は、ＣＱＩ閾値を有する複数のＣＱＩレベルに分割されることが可能であり、ＷＴＲＵは、これらのＣＱＩ閾値に対する、測定された（またはフィルタリングされた）ＣＱＩの比較に基づいて、ＣＱＩを送信することができる。測定された（またはフィルタリングされた）ＣＱＩが、或るＣＱＩ閾値を超え（すなわち、ＣＱＩレベルが変わり）、さらに、所定の期間にわたって、その新たなＣＱＩレベルに留まった場合、ＣＱＩ報告が、トリガされる。図６は、ＣＱＩ閾値との比較に基づくＣＱＩトリガの例を示す。図６は、限定としてではなく、例示として与えられたものであり、ＣＱＩ範囲は、任意の数のレベルに分割されることが可能であることに留意されたい。この例では、２つのＣＱＩ閾値が、設定されており、ＣＱＩ範囲は、３つのレベル（ＣＱＩ１、ＣＱＩ２、およびＣＱＩ３）に分割される。最初、測定されたＣＱＩは、ＣＱＩ１レベルに属する。時刻Ａにおいて、測定されたＣＱＩが、第２のレベル、ＣＱＩ２に変化する。この時点で、タイマが、ＣＱＩ報告をトリガするために設定される。測定されたＣＱＩは、タイマが満了するまで、ＣＱＩ２レベルに留まり、したがって、ＣＱＩ報告が、タイマの満了時にトリガされる。時刻Ｂにおいて、測定されたＣＱＩが、ＣＱＩ１レベルに変化し、タイマが、再び設定される。測定されたＣＱＩは、タイマが満了する前にＣＱＩ２レベルに変化する。したがって、ＣＱＩは、この時点で送信されない。時刻Ｃにおいて、測定されたＣＱＩが、ＣＱＩ３レベルに変化し、タイマが、設定される。測定されたＣＱＩは、タイマが満了するまで、ＣＱＩ３レベルに留まり、ＣＱＩ報告が、タイマの満了時にトリガされる。
【００３９】
ＣＱＩ報告は、いくつかのＷＴＲＵアクションに基づいてトリガされることが可能である。例えば、ＣＱＩは、ＷＴＲＵが、Ｃｅｌｌ＿ＦＡＣＨ状態に変化した際に、さらに／またはＣｅｌｌ＿ＦＡＣＨ状態、Ｃｅｌｌ＿ＰＣＨ状態、およびＵＲＡ＿ＰＣＨ状態のいずれかにおけるセル再選択の時点で、送信されることが可能である。
【００４０】
ＣＱＩ報告は、ダウンリンク受信に基づいてトリガされる（例えば、ＷＴＲＵが、ダウンリンク受信を復号することに失敗すると、送信される）ことが可能であり、さらに、ＣＱＩは、ＲＲＣ  ＡＣＫ／ＮＡＣＫ情報および／またはＲＬＣ（無線リンク制御）ＡＣＫ／ＮＡＣＫ情報と一緒に送信されることが可能である。ＣＱＩ報告トリガレートは、ＮＡＣＫカウントに基づいて調整されることが可能である。報告レートは、ＮＡＣＫカウントが増加するにつれて増加され、報告レートは、ＡＣＫカウントが増加するにつれて低減される。
【００４１】
ＣＱＩ報告は、トランスポートブロックＢＬＥＲに基づいて、データまたは制御情報（すなわち、ＨＳ−ＳＣＣＨ伝送）が受信されることが予期される場合に受信されないと、ＨＡＲＱ  ＢＬＥＲに基づいてトリガされることが可能である。
【００４２】
ＣＱＩ報告は、ＨＳ−ＳＣＣＨ受信に基づいてトリガされることが可能である。ＷＴＲＵが、ＨＳ−ＳＣＣＨ伝送を復号することに成功すると、ＷＴＲＵは、関連するＨＳ−ＰＤＳＣＨ上でのデータ伝送を期待する。ＨＳ−ＳＣＣＨ伝送が正しく復号された後、ＷＴＲＵが、ＨＳ−ＰＤＳＣＨ伝送を回復することができない場合、ＣＱＩ報告が、トリガされることが可能である。このトリガ機構は、ＣＱＩ報告は、Ｎ回の観察のうちＭ回の発生があると、トリガされるというように、平均窓（averaging window）に基づくことが可能である。ＭおよびＮは、ハードコード（変更できないコード）にされるか、またはネットワーク設定可能であるとすることが可能である。
【００４３】
代替として、ＣＱＩ報告は、観察窓（observation window）内の成功したＨＳ−ＳＣＣＨ伝送の回数（Ｋ）をカウントすることによってトリガされてもよい。この観察窓は、新たなトランスポートブロックを示す新たなデータ標識を有するＨＳ−ＳＣＣＨ伝送の最初の復号から開始される。この観察窓は、送信された各パケットに関して予期されるすべての再送を含むのに十分なだけ大きくなければならない。この観察窓は、新たなデータ標識を有する次のＨＳ−ＳＣＣＨ伝送の着信時に終端となることが可能である。ＣＱＩは、Ｋが、Ｃｅｌｌ＿ＦＡＣＨにおいてＨＳＤＰＡに関して設定された再送の最大回数未満である場合にトリガされる。Ｋの値、および観察窓サイズは、ネットワーク設定可能であってもよい。トリガは、平均窓に基づくことが可能である。
【００４４】
代替として、ＣＱＩ報告は、Ｌ回の再送の後に、ＨＳ−ＳＣＣＨ伝送を正しく復号し、ＨＳ−ＰＤＳＣＨ上で送信されたパケットを回復した後にトリガされてもよく、ただし、Ｌは、Ｃｅｌｌ＿ＦＡＣＨにおいてＨＳＤＰＡに関して設定された再送の最大回数未満である。パラメータＬは、ハードコードされるか、またはネットワーク設定可能であるとすることが可能である。このイベントは、現在のＭＣＳが控えめすぎることを暗示する。このトリガは、平均窓に基づくことが可能である。
【００４５】
ＣＱＩ報告は、ＨＳ−ＳＣＣＨ上の不活発（inactivity）に基づいてトリガされることが可能である。ＷＴＲＵは、ＨＳ−ＳＣＣＨ伝送を復号した後、タイマを開始して、タイマが満了するまでに、ＷＴＲＵが、ＨＳＤＰＡ伝送を受信することに失敗した場合、ＣＱＩ報告をトリガすることが可能である。タイマ値は、ハードコードされるか、またはネットワーク設定可能であるとすることが可能である。
【００４６】
前段で開示した閾値およびタイマ値は、システム情報の一部として定義されることが可能である。これらの閾値およびタイマ値は、再定義されることが可能である。ＲＲＣシグナリングを介して、これらの新たな閾値およびタイマ値を指定するためのダウンリンクシグナリング負荷を減らすため、これらの閾値およびタイマ値は、ＲＲＣ  ＡＣＫ／ＮＡＣＫ情報および／またはＲＬＣ  ＡＣＫ／ＮＡＣＫ情報に基づいて、ＷＴＲＵによって自律的に変更されてもよい。これらの閾値は、線形、非対称的、または対数的（いくつかのレベルに関して、その他のレベルを犠牲にして、より細かい細分性を有して）であることが可能である。閾値は、ＨＡＲＱ  ＢＬＥＲに基づいて、ＷＴＲＵによって自律的に変更されてもよい。
【００４７】
ＣＱＩ報告は、Ｃｅｌｌ＿ＦＡＣＨ状態においてダウンリンク制御シグナリングによって制御されることが可能である。ダウンリンク制御シグナリングは、ダウンリンクにおける、ＨＳ−ＳＣＣＨ、ＭＡＣ−ｈｓヘッダ、物理層シグナル、Ｌ２制御チャネルなどを介して送信されることが可能である。
【００４８】
ＲＡＣＨを介するＣＱＩの送信は、より高位の層のシグナリング（例えば、層３シグナリング）によって構成されることが可能である。そのような構成には、ＷＴＲＵがＲＡＣＨプリアンブルを送信するのに使用すべきシグネチャ系列、ＷＴＲＵがＰＲＡＣＨを送信するのに使用すべきタイムスロットフォーマット、スクランブルコード、および多重チャネル化コード、などが含まれる。
【００４９】
ネットワークは、異なるＷＴＲＵの能力について知り、或るＷＴＲＵが、ＰＲＡＣＨ／ＲＡＣＨを介してＣＱＩを送信することができるかどうかを判定することができる。ネットワークは、ＷＴＲＵ能力に基づいて、ＷＴＲＵに設定パラメータを送信することができる。これらの設定パラメータは、ＢＣＣＨの中で従来のＳＩＢ（システム情報ブロック）に新たなＩＥ（情報要素）を追加すること、ＢＣＣＨの中で新たなＳＩＢ（およびスケジュール）を定義すること、またはＨＳＤＰＡチャネルがセットアップされる際に、ＲＲＣ  ＣＯＮＮＥＣＴＩＯＮ  ＳＥＴＵＰメッセージにＩＥを追加することによって、送信されることが可能である。新たな測定は、「品質測定」のカテゴリに入ることが可能であり、さらに、Ｃｅｌｌ＿ＦＡＣＨ状態におけるＷＴＲＵに適用されることが可能である。設定パラメータには、ＣＱＩ情報を送信するための方法（ＲＡＣＨを介して、Ｌ１ベースのアプローチを介して、粗いＣＱＩまたは細かいＣＱＩを使用してなど）、ＣＱＩ報告パラメータ、ＣＱＩフィルタリング係数（ＣＱＩ値の層３フィルタリングに関する）、ＣＱＩ報告基準（すなわち、タイマ値および閾値）などが含まれる。
【００５０】
下位互換性に関して、ノードＢは、ＷＴＲＵが、ＲＡＣＨを介してＣＱＩを送信している（すなわち、ＲＡＣＨ伝送は、ＣＱＩを含む）ことを気づかされることが可能である。ＣＱＩを含むＲＡＣＨ伝送を見分けるため、新たなシグネチャ系列が、定義されてもよく、あるいはいくつかのシグネチャ系列が、ノードＢが、ＣＱＩを含むＲＡＣＨ伝送と、ＣＱＩを含まないＲＡＣＨ伝送とを区別することができるように、ＣＱＩ報告目的で確保される。代替として、ＲＡＣＨメッセージの制御部分のＴＦＣＩフィールド（またはＲＡＣＨヘッダにおける任意のフィールド）に関する１つまたは幾つかの値が、ＣＱＩを含むＲＡＣＨ伝送のために確保されてもよい。別の代替として、スクランブル符号とチャネル化符号のセットが、ＣＱＩを含むＲＡＣＨ伝送のために確保されてもよい。
【００５１】
本発明は、Ｃｅｌｌ＿ＰＣＨおよびＵＲＡ＿ＰＣＨ状態におけるＷＴＲＵに適用可能である。これらの状態で、ＣＱＩ計算のために使用される測定は、絶えず更新される必要はないが、Ｃｅｌｌ＿ＦＡＣＨ状態への切り換えを予期してＰＩＣＨ（Paging Indicator Channel）が受信されると、監視されることが可能である。このことにより、ＷＴＲＵが、電力節約状態に留まり、必要とされる際にだけ測定を行うことが可能になる。
（実施形態）
１．共有チャネルを介してＣＱＩを送信するための方法。
【００５２】
２．少なくとも１つのパラメータの測定を実行するＷＴＲＵを含む実施形態１の方法。
【００５３】
３．この測定に基づいてＣＱＩを生成するＷＴＲＵを含む実施形態２の方法。
【００５４】
４．競合ベースのアップリンク共有チャネルを介してＣＱＩを送信するＷＴＲＵを含む実施形態３の方法。
【００５５】
５．競合ベースのアップリンク共有チャネルが、ＲＡＣＨである実施形態４の方法。
【００５６】
６．ＣＱＩを生成するために使用される測定が、測定されたＢＬＥＲ、ダウンリンク基準チャネル上のパスロス、ダウンリンク基準チャネル上で測定されたＳＮＲ、ＣＰＩＣＨ  Ｅｃ／Ｎ０、ＲＡＣＨ伝送のために要求されるＲＡＣＨプリアンブルランプアップの回数、およびダウンリンク基準チャネル上の受信電力の少なくとも１つである実施形態２〜５のいずれか１つの実施形態における通りの方法。
【００５７】
７．ＣＱＩが、目標ＢＬＥＲを保つようにＷＴＲＵがサポートすることができるトランスポートブロックサイズおよび最大データ転送速度のうち少なくとも１つの符号化されたバージョンである実施形態３〜６のいずれか１つの実施形態における通りの方法。
【００５８】
８．ＣＱＩが、相対的アップ／ダウンコマンドである実施形態３〜６のいずれか１つの実施形態における通りの方法。
【００５９】
９．相対的アップ／ダウンコマンドが、目標ＢＬＥＲを保つようにＷＴＲＵがサポートすることができるトランスポートブロックサイズおよび最大データ転送速度のうち少なくとも１つに基づいて生成される実施形態８の方法。
【００６０】
１０．ＣＱＩが、ＲＡＣＨプリアンブルを使用して送信される実施形態５〜９のいずれか１つの実施形態における通りの方法。
【００６１】
１１．複数のシグネチャ系列が、複数のグループに分割され、ＷＴＲＵが、ＣＱＩに基づいて１つのグループを選択し、さらに、この選択されたグループの中のシグネチャ系列のなかから、ＲＡＣＨプリアンブルを送信するためのシグネチャ系列をランダムに選択する実施形態１０の方法。
【００６２】
１２．ＣＱＩが、ＲＡＣＨプリアンブルに付加される実施形態１０の方法。
【００６３】
１３．ＷＴＲＵ  ＩＤが、ＲＡＣＨプリアンブルに付加される実施形態１２の方法。
【００６４】
１４．ＣＱＩが、ＲＡＣＨメッセージの制御部分、およびＲＡＣＨメッセージのデータ部分のうち少なくとも１つを介して送信される実施形態５〜９のいずれか１つの実施形態における通りの方法。
【００６５】
１５．ノードＢが、ＣＱＩを含むＲＡＣＨ伝送と、ＣＱＩを含まないＲＡＣＨ伝送とを区別するように、ＣＱＩを含むＲＡＣＨメッセージのために、ＴＦＣＩフィールドの少なくとも１つの値が確保される実施形態１４の方法。
【００６６】
１６．ＣＱＩが、ＲＡＣＨ  ＭＡＣ  ＳＤＵと一緒に送信される実施形態５〜９のいずれか１つの実施形態における通りの方法。
【００６７】
１７．ＣＱＩが、ＰＨＹ−ステータス−ＩＮＤプリミティブを介して物理層からＭＡＣ層にシグナリングされる実施形態１６の方法。
【００６８】
１８．ＷＴＲＵが、ＣＱＩを周期的に送信する実施形態４〜１７のいずれか１つの実施形態における通りの方法。
【００６９】
１９．ＣＱＩが、ＷＴＲＵ間の衝突の確率を低減するようにランダムなオフセットで送信される実施形態１８の方法。
【００７０】
２０．ＷＴＲＵが、ノードＢからのダウンリンク伝送に応答してＣＱＩを送信する実施形態４〜１９のいずれか１つの実施形態における通りの方法。
【００７１】
２１．ノードＢが、ダウンリンク伝送に関して低いＭＣＳを使用する実施形態２０の方法。
【００７２】
２２．ノードＢが、ダウンリンク伝送上で全くデータを送信しない実施形態２０〜２１のいずれか１つの実施形態における通りの方法。
【００７３】
２３．ＷＴＲＵが、ＨＳ−ＳＣＣＨ伝送を復号することにＷＴＲＵが成功すると、ＣＱＩを送信する実施形態４〜２２のいずれか１つの実施形態における通りの方法。
【００７４】
２４．ＷＴＲＵが、ＲＲＣ測定レポートを介してＣＱＩを送信する実施形態２３の方法。
【００７５】
２５．ＷＴＲＵが、チャネル状況の変化が、所定の期間にわたって所定の閾値を超えると、ＣＱＩを送信する実施形態４〜２４のいずれか１つの実施形態における通りの方法。
【００７６】
２６．ＣＱＩ範囲が、ＣＱＩ閾値を有する複数のＣＱＩレベルに分割され、ＣＱＩが、或るＣＱＩ閾値を超え、さらに、事前定義された期間にわたって新たなＣＱＩレベルに留まると、ＣＱＩが送信される実施形態４〜２５のいずれか１つの実施形態における通りの方法。
【００７７】
２７．ＷＴＲＵが、ＣＱＩが、ＣＱＩ統計の或る領域に入ると、ＣＱＩを送信する実施形態４〜２６のいずれか１つの実施形態における通りの方法。
【００７８】
２８．ＷＴＲＵが、ノードＢから受信された制御情報に基づいてＣＱＩを送信する実施形態４〜２７のいずれか１つの実施形態における通りの方法。
【００７９】
２９．制御情報が、ＨＳ−ＳＣＣＨ、ＭＡＣヘッダ、物理層シグナリング、層２制御シグナリング、接続セットアップメッセージ、およびＢＣＣＨの少なくとも１つを介してＷＴＲＵに送信される実施形態２８の方法。
【００８０】
３０．ノードＢが、ＣＱＩを含むＲＡＣＨ伝送と、ＣＱＩを含まないＲＡＣＨ伝送とを区別するように、ＲＡＣＨを介してＣＱＩを送信するためのシグネチャ系列のセットが確保される実施形態５〜２９のいずれか１つの実施形態における通りの方法。
【００８１】
３１．ノードＢが、ＣＱＩを含むＲＡＣＨ伝送と、ＣＱＩを含まないＲＡＣＨ伝送とを区別するように、ＲＡＣＨを介してＣＱＩを送信するためのチャネル化符号とスクランブル符号のセットが確保される実施形態５〜３０のいずれか１つの実施形態における通りの方法。
【００８２】
３２．ＣＱＩが、ＲＲＣ層においてＲＲＣメッセージを介して送信される実施形態４〜３１のいずれか１つの実施形態における通りの方法。
【００８３】
３３．ＣＱＩが、ＲＲＣ層においてフィルタリングされる実施形態３２の方法。
【００８４】
３４．ＣＱＩが、粗いＣＱＩと細かいＣＱＩが別々に送信されるように多層構造を有する実施形態３〜３３のいずれか１つの実施形態における通りの方法。
【００８５】
３５．粗いＣＱＩが、ＲＲＣメッセージを介して送信され、細かいＣＱＩが、Ｌ１シグナリングを介して送信される実施形態３４の方法。
【００８６】
３６．ＣＱＩが、Ｃｅｌｌ＿ＦＡＣＨ状態においてＨＳＤＰＡ接続の開始時に送信される実施形態４〜３５のいずれか１つの実施形態における通りの方法。
【００８７】
３７．ＣＱＩが、ＷＴＲＵが、Ｃｅｌｌ＿ＦＡＣＨ状態に変化すると送信される実施形態４〜３６のいずれか１つの実施形態における通りの方法。
【００８８】
３８．ＣＱＩが、ＷＴＲＵがＣｅｌｌ＿ＦＡＣＨ状態、Ｃｅｌｌ＿ＰＣＨ状態、およびＵＲＡ＿ＰＣＨ状態のいずれかにある間に、セルが再選択されると、送信される実施形態４〜３７のいずれか１つの実施形態における通りの方法。
【００８９】
３９．ＣＱＩが、ＷＴＲＵが、ダウンリンク伝送を復号することに失敗すると、送信される実施形態４〜３８のいずれか１つの実施形態における通りの方法。
【００９０】
４０．ＣＱＩ報告レートが、ＮＡＣＫカウントおよびＡＣＫカウントに基づいて調整される実施形態３９の方法。
【００９１】
４１．ＣＱＩが、データまたは制御情報が受信されることが予期される場合に受信されないと、送信される実施形態４〜４０のいずれか１つの実施形態における通りの方法。
【００９２】
４２．ＣＱＩが、ＨＳ−ＳＣＣＨ伝送が正しく復号された後、ＷＴＲＵが、ＨＳ−ＰＤＳＣＨ伝送を回復することができない場合、送信される実施形態４〜４１のいずれか１つの実施形態における通りの方法。
【００９３】
４３．ＣＱＩが、観察窓内でＫ回、ＨＳ−ＳＣＣＨ伝送を復号することに失敗した後、送信される実施形態４〜４２のいずれか１つの実施形態における通りの方法。
【００９４】
４４．ＣＱＩが、Ｌ回の再送の後にＨＳ−ＳＣＣＨ伝送が正しく復号され、ＨＳ−ＰＤＳＣＨ上のパケットが回復された後、送信される実施形態４〜４３のいずれか１つの実施形態における通りの方法。
【００９５】
４５．ＣＱＩが、ＷＴＲＵが、ＨＳ−ＳＣＣＨ伝送を復号した後、所定の期間にわたってＨＳＤＰＡ伝送を受信することに失敗した場合、送信される実施形態４〜４４のいずれか１つの実施形態における通りの方法。
【００９６】
４６．ＷＴＲＵが、ＲＲＣ  ＡＣＫ／ＮＡＣＫ情報およびＲＬＣ  ＡＣＫ／ＮＡＣＫ情報に基づいて、ＣＱＩを送信するためのパラメータを自律的に変更する実施形態４〜４５のいずれか１つの実施形態における通りの方法。
【００９７】
４７．ＲＡＣＨを介するＣＱＩの送信が、より高位の層のシグナリングによって構成される実施形態５〜４６のいずれか１つの実施形態における通りの方法。
【００９８】
４８．共有チャネルを介してＣＱＩを送信するためのＷＴＲＵ。
【００９９】
４９．少なくとも１つのパラメータの測定を実行するための測定ユニットを含む実施形態４８のＷＴＲＵ。
【０１００】
５０．この測定に基づいてＣＱＩを生成するためのＣＱＩジェネレータを含む実施形態４９のＷＴＲＵ。
【０１０１】
５１．競合ベースのアップリンク共有チャネルを介してＣＱＩを送信するためのトランシーバを含む実施形態５０のＷＴＲＵ。
【０１０２】
５２．競合ベースのアップリンク共有チャネルが、ＲＡＣＨである実施形態５１のＷＴＲＵ。
【０１０３】
５３．ＣＱＩを生成するために使用される測定が、測定されたＢＬＥＲ、ダウンリンク基準チャネル上のパスロス、ダウンリンク基準チャネル上で測定されたＳＮＲ、ＣＰＩＣＨ  Ｅｃ／Ｎ０、ＲＡＣＨ伝送のために要求されるＲＡＣＨプリアンブルランプアップの回数、およびダウンリンク基準チャネル上の受信電力の少なくとも１つである実施形態５０〜５２のいずれか１つの実施形態における通りのＷＴＲＵ。
【０１０４】
５４．ＣＱＩが、目標ＢＬＥＲを保つようにＷＴＲＵがサポートすることができるトランスポートブロックサイズおよび最大データ転送速度のうち少なくとも１つの符号化されたバージョンである実施形態５０〜５３のいずれか１つの実施形態における通りのＷＴＲＵ。
【０１０５】
５５．ＣＱＩが、相対的アップ／ダウンコマンドである実施形態５０〜５３のいずれか１つの実施形態における通りのＷＴＲＵ。
【０１０６】
５６．相対的アップ／ダウンコマンドが、目標ＢＬＥＲを保つようにＷＴＲＵがサポートすることができるトランスポートブロックサイズおよび最大データ転送速度のうち少なくとも１つに基づいて生成される実施形態５５のＷＴＲＵ。
【０１０７】
５７．ＣＱＩが、ＲＡＣＨプリアンブルを使用して送信される実施形態５２〜５６のいずれか１つの実施形態における通りのＷＴＲＵ。
【０１０８】
５８．複数のシグネチャ系列が、複数のグループに分割され、ＷＴＲＵが、ＣＱＩに基づいて１つのグループを選択し、さらに、この選択されたグループの中のシグネチャ系列のなかから、ＲＡＣＨプリアンブルを送信するためのシグネチャ系列をランダムに選択する実施形態５７のＷＴＲＵ。
【０１０９】
５９．ＣＱＩが、ＲＡＣＨプリアンブルに付加される実施形態５７〜５８のいずれか１つの実施形態における通りのＷＴＲＵ。
【０１１０】
６０．ＷＴＲＵ  ＩＤが、ＲＡＣＨプリアンブルに付加される実施形態５７〜５９のいずれか１つの実施形態における通りのＷＴＲＵ。
【０１１１】
６１．ＣＱＩが、ＲＡＣＨメッセージの制御部分、およびＲＡＣＨメッセージのデータ部分のうち少なくとも１つを介して送信される実施形態５２〜５６のいずれか１つの実施形態における通りのＷＴＲＵ。
【０１１２】
６２．ノードＢが、ＣＱＩを含むＲＡＣＨ伝送と、ＣＱＩを含まないＲＡＣＨ伝送とを区別するように、ＣＱＩを含むＲＡＣＨメッセージのために、ＴＦＣＩフィールドの少なくとも１つの値が確保される実施形態６１のＷＴＲＵ。
【０１１３】
６３．ＣＱＩが、ＲＡＣＨ  ＭＡＣ  ＳＤＵと一緒に送信される実施形態６１〜６２のいずれか１つの実施形態における通りのＷＴＲＵ。
【０１１４】
６４．ＣＱＩが、ＰＨＹ−ステータス−ＩＮＤプリミティブを介して物理層からＭＡＣ層にシグナリングされる実施形態６３のＷＴＲＵ。
【０１１５】
６５．ＷＴＲＵが、ＣＱＩを周期的に送信する実施形態５１〜６４のいずれか１つの実施形態における通りのＷＴＲＵ。
【０１１６】
６６．ＣＱＩが、ＷＴＲＵ間の衝突の確率を低減するようにランダムなオフセットで送信される実施形態６５のＷＴＲＵ。
【０１１７】
６７．ＷＴＲＵが、ノードＢからのダウンリンク伝送に応答してＣＱＩを送信する実施形態５１〜６６のいずれか１つの実施形態における通りのＷＴＲＵ。
【０１１８】
６８．ノードＢが、ダウンリンク伝送に関して低いＭＣＳを使用する実施形態６７のＷＴＲＵ。
【０１１９】
６９．ノードＢが、ダウンリンク伝送上で全くデータを送信しない実施形態６７〜６８のいずれか１つの実施形態における通りのＷＴＲＵ。
【０１２０】
７０．ＷＴＲＵが、ＨＳ−ＳＣＣＨ伝送を復号することにＷＴＲＵが成功すると、ＣＱＩを送信する実施形態５１〜６９のいずれか１つの実施形態における通りのＷＴＲＵ。
【０１２１】
７１．ＷＴＲＵが、ＲＲＣ測定レポートを介してＣＱＩを送信する実施形態７０のＷＴＲＵ。
【０１２２】
７２．ＷＴＲＵが、チャネル状況の変化が、所定の期間にわたって所定の閾値を超えると、ＣＱＩを送信する実施形態５１〜７１のいずれか１つの実施形態における通りのＷＴＲＵ。
【０１２３】
７３．ＣＱＩ範囲が、ＣＱＩ閾値を有する複数のＣＱＩレベルに分割され、ＣＱＩは、ＣＱＩが、或るＣＱＩ閾値を超え、さらに、事前定義された期間にわたって新たなＣＱＩレベルに留まると、送信される実施形態５１〜７２のいずれか１つの実施形態における通りのＷＴＲＵ。
【０１２４】
７４．ＷＴＲＵが、ＣＱＩが、ＣＱＩ統計の或る領域に入ると、ＣＱＩを送信する実施形態５１〜７３のいずれか１つの実施形態における通りのＷＴＲＵ。
【０１２５】
７５．ＷＴＲＵが、ノードＢから受信された制御情報に基づいてＣＱＩを送信する実施形態５１〜７４のいずれか１つの実施形態における通りのＷＴＲＵ。
【０１２６】
７６．制御情報が、ＨＳ−ＳＣＣＨ、ＭＡＣヘッダ、物理層シグナリング、層２制御シグナリング、接続セットアップメッセージ、およびＢＣＣＨの少なくとも１つを介してＷＴＲＵに送信される実施形態７５のＷＴＲＵ。
【０１２７】
７７．ノードＢが、ＣＱＩを含むＲＡＣＨ伝送と、ＣＱＩを含まないＲＡＣＨ伝送とを区別するように、ＲＡＣＨを介してＣＱＩを送信するためのシグネチャ系列のセットが確保される実施形態５２〜７６のいずれか１つの実施形態における通りのＷＴＲＵ。
【０１２８】
７８．ノードＢが、ＣＱＩを含むＲＡＣＨ伝送と、ＣＱＩを含まないＲＡＣＨ伝送とを区別するように、ＲＡＣＨを介してＣＱＩを送信するためのチャネル化符号とスクランブル符号のセットが確保される実施形態５２〜７７のいずれか１つの実施形態における通りのＷＴＲＵ。
【０１２９】
７９．ＣＱＩが、ＲＲＣ層においてＲＲＣメッセージを介して送信される実施形態５１〜７８のいずれか１つの実施形態における通りのＷＴＲＵ。
【０１３０】
８０．ＣＱＩが、ＲＲＣ層においてフィルタリングされる実施形態７９のＷＴＲＵ。
【０１３１】
８１．ＣＱＩが、粗いＣＱＩと細かいＣＱＩが別々に送信されるように多層構造を有する実施形態５１〜８０のいずれか１つの実施形態における通りのＷＴＲＵ。
【０１３２】
８２．粗いＣＱＩが、ＲＲＣメッセージを介して送信され、細かいＣＱＩが、Ｌ１シグナリングを介して送信される実施形態８１のＷＴＲＵ。
【０１３３】
８３．ＣＱＩが、Ｃｅｌｌ＿ＦＡＣＨ状態においてＨＳＤＰＡ接続の開始時に送信される実施形態５１〜８２のいずれか１つの実施形態における通りのＷＴＲＵ。
【０１３４】
８４．ＣＱＩが、ＷＴＲＵが、Ｃｅｌｌ＿ＦＡＣＨ状態に変化すると送信される実施形態５１〜８３のいずれか１つの実施形態における通りのＷＴＲＵ。
【０１３５】
８５．ＣＱＩが、ＷＴＲＵがＣｅｌｌ＿ＦＡＣＨ状態、Ｃｅｌｌ＿ＰＣＨ状態、およびＵＲＡ＿ＰＣＨ状態のいずれかにある間に、セルが再選択されると、送信される実施形態５１〜８４のいずれか１つの実施形態における通りのＷＴＲＵ。
【０１３６】
８６．ＣＱＩが、ＷＴＲＵが、ダウンリンク伝送を復号することに失敗すると、送信される実施形態５１〜８５のいずれか１つの実施形態における通りのＷＴＲＵ。
【０１３７】
８７．ＣＱＩ報告レートが、ＮＡＣＫカウントおよびＡＣＫカウントに基づいて調整される実施形態８６のＷＴＲＵ。
【０１３８】
８８．ＣＱＩが、データまたは制御情報が受信されることが予期される場合に受信されないと、送信される実施形態５１〜８７のいずれか１つの実施形態における通りのＷＴＲＵ。
【０１３９】
８９．ＣＱＩが、ＨＳ−ＳＣＣＨ伝送が正しく復号された後、ＷＴＲＵが、ＨＳ−ＰＤＳＣＨ伝送を回復することができない場合、送信される実施形態５１〜８８のいずれか１つの実施形態における通りのＷＴＲＵ。
【０１４０】
９０．ＣＱＩが、観察窓内でＫ回、ＨＳ−ＳＣＣＨ伝送を復号することに失敗した後、送信される実施形態５１〜８９のいずれか１つの実施形態における通りのＷＴＲＵ。
【０１４１】
９１．ＣＱＩが、Ｌ回の再送の後にＨＳ−ＳＣＣＨ伝送が正しく復号され、ＨＳ−ＰＤＳＣＨ上のパケットが回復された後、送信される実施形態５１〜９０のいずれか１つの実施形態における通りのＷＴＲＵ。
【０１４２】
９２．ＣＱＩが、ＷＴＲＵが、ＨＳ−ＳＣＣＨ伝送を復号した後、所定の期間にわたってＨＳＤＰＡ伝送を受信することに失敗した場合、送信される実施形態５１〜９１のいずれか１つの実施形態における通りのＷＴＲＵ。
【０１４３】
９３．ＷＴＲＵが、ＲＲＣ  ＡＣＫ／ＮＡＣＫ情報およびＲＬＣ  ＡＣＫ／ＮＡＣＫ情報に基づいて、ＣＱＩを送信するためのパラメータを自律的に変更する実施形態５１〜９２のいずれか１つの実施形態における通りのＷＴＲＵ。
【０１４４】
９４．ＲＡＣＨを介するＣＱＩの送信が、より高位の層のシグナリングによって構成される実施形態５２〜９３のいずれか１つの実施形態における通りのＷＴＲＵ。
【０１４５】
好ましい実施形態における特徴および要素は、特定の組み合わせで説明されるが、各特徴または各要素は、好ましい実施形態のその他の特徴および要素なしに単独で、あるいは他の特徴および要素を伴って、または伴わずに、様々な組み合わせで使用されることが可能である。与えられる方法または流れ図は、汎用コンピュータまたはプロセッサによって実行されるように、コンピュータ可読記憶媒体として実体化されたコンピュータプログラム、ソフトウェア、またはファームウェアにおいて実施されることが可能である。コンピュータ可読記憶媒体の例には、ＲＯＭ（読取り専用メモリ）、ＲＡＭ（ランダムアクセスメモリ）、レジスタ、キャッシュメモリ、半導体メモリデバイス、内部ハードディスクやリムーバブルディスクなどの磁気媒体、光磁気媒体、ＣＤ−ＲＯＭディスクなどの光媒体、およびＤＶＤ（デジタルバーサタイルディスク）が含まれる。
【０１４６】
適切なプロセッサには、例として、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態マシンが含まれる。
【０１４７】
ソフトウェアに関連するプロセッサを使用して、ＷＴＲＵ（無線送信／受信ユニット）、ＵＥ（ユーザ機器）、端末装置、基地局、ＲＮＣ（無線ネットワークコントローラ）、または任意のホストコンピュータにおいて使用するための無線周波数トランシーバを実施することができる。ＷＴＲＵは、カメラ、ビデオカメラモジュール、テレビ電話機、スピーカフォン、振動デバイス、スピーカ、マイクロホン、テレビ受信機、ハンズフリーハンドセット、キーボード、Ｂｌｕｅｔｏｏｔｈ（登録商標）モジュール、ＦＭ（周波数変調）無線ユニット、ＬＣＤ（液晶ディスプレイ）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）モジュールなどの、ハードウェアおよび／またはソフトウェアで実施されたモジュールと連携して使用されることが可能である。
【図１】
2014131329.tif 000003
【図２】
2014131329.tif 000004
【図３】
2014131329.tif 000005
【図４】
2014131329.tif 000006
【図５】
2014131329.tif 000007
【図６】
2014131329.tif 000008
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）であって、
アップリンクチャネルを介して、チャネル品質インジケータ（ＣＱＩ）を周期的に送信するように構成された回路と、
前記ＷＴＲＵの無線ネットワーク一時識別子（ＲＮＴＩ）に関連付けられたダウンリンク制御チャネルを復号するように構成された回路と、
前記復号に応答して、無線ネットワークが前記ＷＴＲＵにＣＱＩを送信するように要求することを判定するように構成された回路と
を備え、
前記ＷＴＲＵは、前記無線ネットワークが前記ＷＴＲＵに前記ＣＱＩを送信するように要求するという判定に応答して、前記無線ネットワークに前記ＣＱＩを送信するように構成されている、ことを特徴とするＷＴＲＵ。
【請求項２】
前記アップリンクチャネルは、共有チャネル、共通チャネル、またはランダムアクセスチャネル（ＲＡＣＨ）の一つであることを特徴とする請求項１に記載のＷＴＲＵ。
【請求項３】
前記ＷＴＲＵは、前記アップリンクチャネル上で前記ＣＱＩを前記無線ネットワークに送信するようにさらに構成されていることを特徴とする請求項１に記載のＷＴＲＵ。
【請求項４】
前記ダウンリンク制御チャネルは、共有チャネルであることを特徴とする請求項１に記載のＷＴＲＵ。
【請求項５】
前記ダウンリンク制御チャネルは、高速共有制御チャネル（ＨＳ−ＳＣＣＨ）であることを特徴とする請求項１に記載のＷＴＲＵ。
【請求項６】
前記無線ネットワークが前記ＷＴＲＵに前記ＣＱＩを送信するように要求するという判定は、前記ＣＱＩを送信するためのトリガまたはポーリングの一つであることを特徴とする請求項１に記載のＷＴＲＵ。
【請求項７】
前記ＲＮＴＩは、前記ダウンリンク制御チャネル上で前記ＷＴＲＵによって受信されることを特徴とする請求項１に記載のＷＴＲＵ。
【請求項８】
前記ＷＴＲＵは、前記無線ネットワークに、肯定応答および否定応答を前記アップリンクチャネルを介して送信するようにさらに構成されていることを特徴とする請求項１に記載のＷＴＲＵ。
【請求項９】
無線送信／受信ユニット（ＷＴＲＵ）によって実行される方法であって、
前記方法は、
前記ＷＴＲＵによってアップリンクチャネルを介して、チャネル品質インジケータ（ＣＱＩ）を周期的に送信するステップと、
前記ＷＴＲＵによって、前記ＷＴＲＵの無線ネットワーク一時識別子（ＲＮＴＩ）に関連付けられたダウンリンク制御チャネルを復号するステップと、
前記復号に応答して前記ＷＴＲＵによって、無線ネットワークが前記ＷＴＲＵにＣＱＩを送信するように要求していることを判定するステップと
を備え、
前記ＷＴＲＵは、前記無線ネットワークが前記ＷＴＲＵに前記ＣＱＩを送信するように要求しているという判定に応答して、前記無線ネットワークに前記ＣＱＩを送信する、ことを特徴とする方法。
【請求項１０】
前記アップリンクチャネルは、共有チャネル、共通チャネル、またはランダムアクセスチャネル（ＲＡＣＨ）の一つであることを特徴とする請求項９に記載の方法。
【請求項１１】
前記ＣＱＩは、前記アップリンクチャネル上で前記無線ネットワークに送信されることを特徴とする請求項９に記載の方法。
【請求項１２】
前記ダウンリンク制御チャネルは、共有チャネルであることを特徴とする請求項９に記載の方法。
【請求項１３】
前記ダウンリンク制御チャネルは、高速共有制御チャネル（ＨＳ−ＳＣＣＨ）であることを特徴とする請求項９に記載の方法。
【請求項１４】
前記無線ネットワークが前記ＷＴＲＵに前記ＣＱＩを送信するように要求しているという判定は、前記ＣＱＩを送信するためのトリガまたはポーリングの一つであることを特徴とする請求項９に記載の方法。
【請求項１５】
前記ＲＮＴＩは、前記ダウンリンク制御チャネル上で前記ＷＴＲＵによって受信されることを特徴とする請求項９に記載の方法。
【請求項１６】
前記ＷＴＲＵによって前記無線ネットワークに、肯定応答および否定応答を前記アップリンクチャネルを介して送信するステップをさらに備えることを特徴とする請求項９に記載の方法。
【請求項１７】
無線ネットワーク装置であって、
無線送信／受信ユニット（ＷＴＲＵ）からアップリンクチャネルを介して、チャネル品質インジケータ（ＣＱＩ）を周期的に受信するように構成された回路と、
ダウンリンク制御チャネルを介して、ＣＱＩを送信する前記ＷＴＲＵに対する要求を送信するように構成された回路と
を備え、
前記要求は、前記ＷＴＲＵの無線ネットワーク一時識別子（ＲＮＴＩ）に関連付けられて送信され、
前記無線ネットワーク装置は、前記要求および前記ＲＮＴＩに応答して、前記ＣＱＩを前記ＷＴＲＵから受信するようにさらに構成されていることを特徴とする無線ネットワーク装置。
【請求項１８】
前記無線ネットワーク装置は、ノードＢであることを特徴とする請求項１７に記載の無線ネットワーク装置。
【請求項１９】
前記アップリンクチャネルは、共有チャネル、共通チャネル、またはランダムアクセスチャネル（ＲＡＣＨ）の一つであることを特徴とする請求項１７に記載の無線ネットワーク装置。
【請求項２０】
前記無線ネットワーク装置は、前記アップリンクチャネル上で前記ＣＱＩを受信するようにさらに構成されていることを特徴とする請求項１７に記載の無線ネットワーク装置。
【請求項２１】
前記ダウンリンク制御チャネルは、共有チャネルであることを特徴とする請求項１７に記載の無線ネットワーク装置。
【請求項２２】
前記ダウンリンク制御チャネルは、高速共有制御チャネル（ＨＳ−ＳＣＣＨ）であることを特徴とする請求項１７に記載の無線ネットワーク装置。
【請求項２３】
前記要求は、前記ＣＱＩを送信する前記ＷＴＲＵに対するトリガまたはポーリングの一つであることを特徴とする請求項１７に記載の無線ネットワーク装置。
【請求項２４】
前記無線ネットワーク装置は、前記ＷＴＲＵから、肯定応答および否定応答を前記アップリンクチャネルを介して受信するようにさらに構成されていることを特徴とする請求項１７に記載の無線ネットワーク装置。
【請求項２５】
無線ネットワーク装置によって実行される方法であって、
前記方法は、
前記無線ネットワーク装置によって無線送信／受信ユニット（ＷＴＲＵ）から、アップリンクチャネルを介してチャネル品質インジケータ（ＣＱＩ）を周期的に受信するステップと、
前記無線ネットワーク装置によってダウンリンク制御チャネルを通じて、ＣＱＩを送信する前記ＷＴＲＵに対する要求を送信するステップであって、前記要求は、前記ＷＴＲＵの無線ネットワーク一時識別子（ＲＮＴＩ）に関連付けられて送信される、ステップと、
前記要求および前記ＲＮＴＩに応答して、前記ＣＱＩを前記ＷＴＲＵから受信するステップと
を備えることを特徴とする方法。
【請求項２６】
前記無線ネットワーク装置は、ノードＢであることを特徴とする請求項２５に記載の方法。
【請求項２７】
前記アップリンクチャネルは、共有チャネル、共通チャネル、またはランダムアクセスチャネル（ＲＡＣＨ）の一つであることを特徴とする請求項２５に記載の方法。
【請求項２８】
前記ＣＱＩは、前記アップリンクチャネル上で受信されることを特徴とする請求項２５に記載の方法。
【請求項２９】
前記ダウンリンク制御チャネルは、共有チャネルであることを特徴とする請求項２５に記載の方法。
【請求項３０】
前記ダウンリンク制御チャネルは、高速共有制御チャネル（ＨＳ−ＳＣＣＨ）であることを特徴とする請求項２５に記載の方法。
【請求項３１】
前記要求は、前記ＣＱＩを送信する前記ＷＴＲＵに対するトリガまたはポーリングの一つであることを特徴とする請求項２５に記載の方法。
【請求項３２】
前記無線ネットワーク装置によって前記ＷＴＲＵから、肯定応答および否定応答を前記アップリンクチャネルを介して受信するステップをさらに備えることを特徴とする請求項２５に記載の方法。